(57)【要約】【課題】  本発明は、携行時等に被収容物が破損するのを防止するとともに、開封、及び再封を容易に行うことができる包装体を提供することを課題とする。【解決手段】  シートＢを折曲加工して形成された外装体１と、可撓性を有するフィルム２０ａ，２０ｂから一端部が開封可能な袋状に形成され、且つ複数の被収容物Ｓが収容される内袋２とで構成され、外装体１は、筒状の胴部１０と、該胴部１０の一端開口縁部を基端にして延設され、胴部１０の一端開口側に折り返し可能な蓋片１１とで構成されるとともに、蓋片１１を折り返し状態で保持する保持手段１２，１４を備えてなり、内袋２は、被収容物Ｓを収容する他端側が胴部１０に収容された状態で、一端部が蓋片１１の折り返し位置１３ａよりも先端側で蓋片１１に対向するように構成されてなることを特徴とする。【選択図】          図１
2005041556.tif 000002
【特許請求の範囲】
【請求項１】
シートを折曲加工して形成された外装体と、可撓性を有するフィルムから一端部が開封可能な袋状に形成されて複数の被収容物が収容される内袋とで構成され、外装体は、少なくとも一端が開口した筒状の胴部と、該胴部の一端開口縁部を基端にして延設され、胴部の一端開口側に折り返し可能な蓋片とで構成されるとともに、蓋片を折り返し状態で保持する保持手段を備えてなり、内袋は、被収容物を収容する他端側が胴部に収容された状態で、一端部が蓋片の折り返し位置よりも先端側で蓋片に対向するように構成されてなることを特徴とする包装体。
【請求項２】
胴部は、互いに対向する一対のシート壁部の側端同士が連結されて扁平筒状に形成されるとともに、前記一端開口を形成する一方のシート壁部の一端縁に蓋片が延設され、胴部内に収容された内袋の各壁フィルムが対向する各シート壁部に貼着されてなる請求項１記載の包装体。
【請求項３】
前記保持手段は、前記胴部と、該胴部の一端開口側に折り返された状態で、先端部が胴部の一端開口部に挿入可能に構成された前記蓋片とで構成されてなる請求項１記載の包装体。
【発明の詳細な説明】
【技術分野】
【０００１】
本発明は、食品や薬品等の粒状をなす複数の被収容物を包装する包装体に関する。
【背景技術】
【０００２】
従来からインジェクション成型により成形されたプラスチック容器や、スクリューキャップ付きのガラス瓶等の容器は、再封可能で且つ剛性に富むことから、被収容物を保護するのに最適であるとして、粒状の食品（例えば、粒状の菓子（ガム、飴等））や医薬品（例えば、錠剤の健康補助食品（いわゆる、サプリメント））等の複数の被収容物を収容するのに採用されている。
【発明の開示】
【発明が解決しようとする課題】
【０００３】
ところで、前記容器に被収容物を収容して携行すると、収容した被収容物が容器の内部で自由に移動して容器の壁部や底等に衝突することがある。そうすると、前述の如く、前記容器は、剛性に富むため、壁部や底に対する衝突によって、被収容物が破損するといった問題があった。
【０００４】
そこで、被収容物を可撓性を有する袋に収容し、被収容物に直接作用する衝撃を抑えて被収容物の破損を防止することも考えられるが、このように被収容物を袋に収容すると、該袋が可撓性を有することから、袋に外力が作用した際に、該外力が被収容物にまで影響を及ぼし、被収容物が破損してしまうことがある。その上、一旦袋を開封すると、再封することが困難であり、被収容物の保存を維持することができないことがある。
【０００５】
そこで、本発明は、斯かる実情に鑑み、携行時等に被収容物が内部で移動しても破損することがなく、開封、及び再封を容易に行うことができる包装体を提供することを課題とする。
【課題を解決するための手段】
【０００６】
本発明にかかる包装体は、上記課題を解決すべくなされたものであり、シートを折曲加工して形成された外装体と、可撓性を有するフィルムから一端部が開封可能な袋状に形成されて複数の被収容物が収容される内袋とで構成され、外装体は、少なくとも一端が開口した筒状の胴部と、該胴部の一端開口縁部を基端にして延設され、胴部の一端開口側に折り返し可能な蓋片とで構成されるとともに、蓋片を折り返し状態で保持する保持手段を備えてなり、内袋は、被収容物を収容する他端側が胴部に収容された状態で、一端部が蓋片の折り返し位置よりも先端側で蓋片に対向するように構成されてなることを特徴とする。
【０００７】
上記包装体によれば、被収容物を収容する内袋が可撓性を有するフィルムから形成されているので、収容された被収容物が内袋の内部で移動して当該内袋に衝突しても、該被収容物に加わる衝撃が極めて小さく、被収容物の破損を防止することができる。また、該包装体は、内袋がシートを折曲加工して形成された外装体に内装されているので、該包装体に外力が加わっても外装体によって吸収されて被収容物に直接影響せず、被収容物を外部からの衝撃等からも保護することができる。
【０００８】
その上、外装体は、蓋片を折り返し状態で保持する保持手段を備え、内袋は、被収容物を収容する他端側が胴部に収容された状態で、一端部が蓋片の折り返し位置よりも先端側で蓋片に対向するように構成されているので、蓋片の折り返しに伴って、内袋の一端側も折り返された態様となり、保持手段で蓋片を折り返し状態で保持することで、内袋も折り返された状態で保持されることになる。したがって、開封可能な一端部が一旦開封されても、この蓋片の折り返しによって、内袋を容易に再封することができる。
【０００９】
胴部は、互いに対向する一対のシート壁部の側端同士が連結されて扁平筒状に形成されるとともに、前記一端開口を形成する一方のシート壁部の一端縁に蓋片が延設され、胴部内に収容された内袋の各壁フィルムが対向する各シート壁部に貼着されてなることが好ましい。
【００１０】
このようにすると、蓋片を折り返し状態から延ばした状態にし、扁平筒状の胴部（一対のシート壁部）の両側端が互いに接近するように胴部を把持すれば、胴部を構成する一対のシート壁部のそれぞれが湾曲して胴部が略楕円筒状、或いは円筒状になるとともに、一方のシート壁部の変形に伴って蓋片も湾曲し、一方のシート壁部及び蓋片が樋状になる。この際、各シート壁部に貼着された内袋を構成する各壁フィルムが、胴部の変形に追従して互いに離間して当該内袋が筒状に変形し、該内袋の一端部が開封されていると、内袋の一端に円形状、或いは略楕円形状の開口が形成されることになる。そうすると、一方のシート壁部に貼着された内袋の一方の壁フィルムが一方のシート壁部及び蓋片に対応して樋状になるので、包装体を傾けるだけで被収容物が内袋の一端に向けて転動し、開口した内袋の一端から被収容物を容易に取り出すことができる。
【００１１】
また、前記保持手段は、前記胴部と、該胴部の一端開口側に折り返された状態で、先端部が胴部の一端開口部に挿入可能に構成された前記蓋片とで構成してもよい。このようにすれば、蓋片の先端部を胴部の一端開口部に挿入した状態で、該蓋片の先端部が胴部の一端開口縁部に係止されて当該蓋片の起き上がりが阻止されることになり、蓋片を折り返し状態で保持させることができる。また、必須の構成である胴部及び蓋片で保持手段を構成するようにしたので、包装体を簡易な構成にすることができる。
【発明の効果】
【００１２】
以上のように、本発明にかかる包装体によれば、携行時等に被収容物が内部で移動しても破損することがなく、開封、及び再封を容易に行うことができるという優れた効果を奏し得る。
【発明を実施するための最良の形態】
【００１３】
以下、本発明の第一実施形態について、添付図面を参酌しつつ説明する。
本実施形態にかかる包装体は、図１に示す如く、外装体１と、該外装体１に内装され、複数の被収容物S（例えば、錠剤のサプリメント）を収容する内袋２とで構成されている。
【００１４】
該外装体１は、内袋２を収容する筒状の胴部１０と、該胴部１０の一端開口縁部に延設され、該一端開口に向けて折り返される蓋片１１とで構成されている。
【００１５】
前記胴部１０は、平面視略台形状の一対のシート壁部１０ａ，１０ｂの側端同士が連結されて形成されており、両端が開口して一端側ほど先細りした扁平筒状をなしている。
該胴部１０を構成する一対のシート壁部１０ａ，１０ｂのうち、一方のシート壁部１０ａは、一端を基端にして前記蓋片１１が延設され、他方のシート壁部１０ｂには、蓋片１１を折り返し状態にした際に、蓋片１１を折り返した姿勢で保持する保持手段を構成するスリット１２が設けられている。該スリット１２は、シート壁部１０ｂの一端縁に略平行をなすように切り込まれた切り込みである。
【００１６】
前記蓋片１１は、平面視略台形状に形成されており、長手の他端（下端）が一方のシート壁部１０ａの一端（上端）に接続され、該一方のシート壁部１０ａとともに平面視略台形状をなしている。一方のシート壁部１０ａと蓋片１１との境界、すなわち蓋片１１の基端には、折り返し位置である折曲罫線１３ａ（以下、この折曲罫線を便宜上、第一罫線という）が設けられており、該第一罫線１３ａで蓋片１１を胴部１０の一端開口側に折り返すことができるようになっている。
【００１７】
該蓋片１１には、折り返された状態で胴部１０（他方のシート壁部１０ｂ）の前記スリット１２に挿入する突片１４が形成されている。該突片１４は、前記スリット１２とともに蓋片１１を折り返し状態で保持する保持手段を構成しており、蓋片１１に対し、該蓋片１１の先端側から基端側に向けて凸状をなす円弧状の切り込みが入れられることで、基端側（一方のシート壁部１０ａ）に向けて凸状に形成されている。
【００１８】
上記構成の外装体１は、例えば、厚さ０．１５〜０．５ｍｍ程度のポリプロピレン、又はポリエチレンテレフタレート（ＰＥＴ）等からなる所定形状に裁断した一枚のプラスチックシート（以下、この所定形状のプラスチックシートを原シートという）を折曲加工して形成されている。
【００１９】
該原シートについて詳しく説明すると、該原シートは、図２に示す如く、平面視略台形状に形成されて前記一対のシート壁部１０ａ，１０ｂとなる一対の壁形成領域１５ａ，１５ｂと、一対の壁形成領域１５ａ，１５ｂ同士を連結する貼着領域１５ｃと、一方の壁形成領域１５ａの上端に延設されて前記蓋片１１となる蓋形成領域１５ｄとで構成されている。
【００２０】
前記一対の壁形成領域１５ａ，１５ｂは、一側端（一方の斜辺）同士が接続されており、該一対の壁形成領域１５ａ，１５ｂの境界には、折曲罫線１３ｂ（以下、この罫線を便宜上、第二罫線という）が設けられており、該第二罫線１３ｂで折り返すことで、各壁形成領域１５ａ，１５ｂ同士が、各端縁を一致させて重なり合うようになっている。なお、第一罫線１３ａ、第二罫線１３ｂ、及び後述する第三罫線１３ｃのそれぞれは、極細の溝で構成されており、他の部分よりも厚みが薄くなるように構成されている。具体的には、シートの折曲性と強度を鑑みれば、第一罫線１３ａ、第二罫線１３ｂ、及び後述する第三罫線１３ｃのそれぞれに特開平１０−１９３４５０号公報所載の折曲罫線を採用することが好ましい。
【００２１】
該一対の壁形成領域１５ａ，１５ｂのうち、前記他方のシート壁部１０ｂを構成する他方の壁形成領域１５ｂには、前記保持手段を構成するスリット１２が形成されている。該スリット１２は、壁形成領域１０ｂの略中央部に上端（下端）と略平行をなすように横長に形成された切り込みで構成されている。
【００２２】
前記貼着領域１５ｃは、一方の壁形成領域１５ａの他側端（他方の斜辺）を接続されている。該貼着領域１５ｃと一方の壁形成領域１５ａとの境界には、折曲罫線１３ｃ（以下、この折曲罫線を便宜上、第三罫線という）が設けられている。該貼着領域１５ｃは、第三罫線１３ｃで折り返された状態で、前記第一罫線１３ａで折り返されて重なり合う一対の壁形成領域１５ａ，１５ｂのうちの他方の壁形成領域１５ｂの他側端部に重なるように構成されている。
【００２３】
前記蓋形成領域１５ｄは、平面視略台形状に構成されており、下端（台形の長手の下辺に相当）が一方の壁形成領域１５ａの上端（台形の短手の上辺に相当）に接続され、該壁形成領域１５ｂに連続して形成されている。該蓋形成領域１５ｄと一方の壁形成領域１５ａとの境界には、前記第一罫線１３ａが設けられている。
【００２４】
また、蓋形成領域１５ｄには、前記保持手段を構成する前記突片１４が形成されている。該突片１４は、他方の壁形成領域１５ｂに形成されたスリット１２に挿入可能に構成されており、蓋形成領域１５ｄ内の原シートＢが円弧上に切り込まれることで蓋形成領域１５ｄの上端から下端に向けて凸状に形成されている。
【００２５】
前記外装体１は、上記構成の原シートＢを第二罫線１３ｂ、及び第三罫線１３ｃで折り返し、貼着領域１５ｃが他方の壁形成領域１５ｂの他側端部に接着剤を介して貼着されることで形成されている。
【００２６】
前記内袋２は、可撓性を有するフィルムから一端部が開封可能な袋状に形成されたものであり、互いに対向する一対のフィルム２０ａ，２０ｂ（壁フィルム）の外周端同士が連結されて構成されている。
【００２７】
具体的には、本実施形態にかかる内袋２は、図３に示す如く、一端側ほど先細りした略台形状に形状設定された一対の壁フィルム２０ａ，２０ｂと、略矩形状に形状設定された底フィルム２０ｃとで構成されており、前記一対の壁フィルム２０ａ，２０ｂの互いの一端部及び両側端部同士が直接熱シールされて連結され、前記底フィルム２０ｃが二つ折りされて折り曲げ稜線を境にして形成された一対の片部のうちの一方の片部の外縁部が一方の壁フィルム２０ａの他端部に熱シールされて連結され、他方の片部の外縁部が他方の壁フィルムの２０ｂの他端部に熱シールされて形成されている。なお、図３においてハッチングが付された領域が熱シールされた領域である。
【００２８】
つまり、該内袋２は、一対の壁フィルムの２０ａ，２０ｂの一端部及び両側端部同士が直接連結されるとともに、裾広がりになった一対の壁フィルムの２０ａ，２０ｂの他端部同士が底フィルム２０ｃを介して間接的に連結されることで、一対の壁フィルム２０ａ，２０ｂ間（収容空間）において、他端側ほどサプリメントＳの収容量が多くなるように形成され、いわゆるスタンディングパウチタイプの袋を呈している。なお、壁フィルム２０ａ，２０ｂの一端部は、該一端で形成した開口を介して壁フィルム２０ａ，２０ｂ間（前記収容空間）に所定量のサプリメントＳを充填してから熱シールされている。
【００２９】
内袋２を構成するフィルム、すなわち、前記一対の壁フィルム２０ａ，２０ｂ、及び底フィルム２０ｃは、ガスバリア性を有する積層フィルムで構成されている。該積層フィルムとしては、外側層、中間層、及び内側層が積層されたものを採用することが好ましい。この場合、外側層としては、延伸ポリエチレンテレフタレートフィルム、延伸ナイロンフィルム、延伸ポリプロピレン（ＯＰＰ）フィルム等が挙げられる。また、中間層としては、ガスバリア性を有するアルミ層、又はＥＶＯＨ（エチレン−ビニルアルコール共重合体）層等からなるフィルムが挙げられ、内側層として、ヒートシール性を有する未延伸ポリプロピレン（ＣＰＰ）、又はポリエチレン系樹脂（ＬＤＰＥ等）等のフィルムが挙げられる。また、防湿性のみが必要な場合には、ＯＰＰとＣＰＰやＬＤＰＥ等の積層フィルムを採用することもできる。
【００３０】
さらに、該内袋２は、一端部（上端部）の側端縁部に切り込みにより構成されたノッチ２１が設けられており、該ノッチ２１を介して一端部を引き裂いて開封できるようになっている。
【００３１】
上述の如くサプリメントＳの収容された内袋２は、他端側が前記胴部１０内に収容された状態で、前記一端側が胴部１０の一端開口から延出し、上述の如く開封される一端部が蓋片１１に対して第一罫線１３ａと突片１４との間で対向するよう寸法設定されている。内袋２に対するサプリメントSの充填は、内袋２を胴部１０内に収容した状態で、収容されたサプリメントＳが対向する第一罫線１３ａより下方に位置するように充填量が決定されている。
【００３２】
この内袋２は、上記の如きサプリメントSが封入された状態で外装体１の胴部１０に対し下端（他端）開口から挿入され、各壁フィルム２０ａ，２０ｂが対向する一対のシート壁部１０ａ，１０ｂのそれぞれに両面粘着テープや接着剤（例えば、ホットメルト接着剤）等の貼着手段１６を介して固定（貼着）されている。なお、本実施形態においては、シート壁部１０ａ，１０ｂの一端部近傍、及び他端部近傍で内袋２の壁フィルム２０ａ，２０ｂがシート壁部１０ａ，１０ｂに対して固定されている（図１参照）。
【００３３】
上記構成の包装体は、図４（イ）に示す如く、蓋片１１を起こした状態にして、内袋２の一端部をノッチ２１を介して引き裂くことで、図４（ロ）に示す如く開封される。そして、胴部１０（一対のシート壁部１０ａ，１０ｂ）の側端同士が接近するように、外装体１を把持すると、図４（ハ）に示す如く、扁平状態にある胴部１０が略円錐筒状に変形し、胴部１０の一端に略円形、或いは楕円形の開口が形成される。これに伴って内袋２の一対の壁フィルム２０ａ，２０ｂも一対のシート壁部１０ａ，１０ｂに追従するように変形して開封された一端部が略円形状、或いは楕円状に開口することになる。
【００３４】
この状態で、起こされた蓋片１１は、胴部１０を構成する一方のシート壁部１０ａの変形に伴って湾曲しており、一方のシート壁部１０ａとともに樋状をなしている。そうすると、一端側が下方に位置するように包装体を傾けることで、樋状をなす胴部１０及び蓋片１１に沿った態様で内袋２の一端開口からサプリメントSを取り出すことができる。
【００３５】
その一方で、開封した内袋２を再封するには、図４（二）に示す如く、包装体を起立状態にしてサプリメントSが胴部１０の一端と該内袋２の一端との間に介在しない状態にし、蓋片１１を胴部１０の一端開口側に第一罫線１３ａで折り返す。そうすると、蓋片１１の折り返しに伴って内袋２が第一罫線１３ａに対向した部分で、胴部１０を構成する他方のシート壁部１０ｂに向けて折り返されることになる。
【００３６】
そして、蓋片１１の突片１４を他方のシート壁部１０ｂ（胴部１０）のスリット１２に差し込むことで、蓋片１１の折り返し状態が保持され、これにより内袋２の一端側の折り返しも保持されることになる。そうすると、該折り返しにより、収容したサプリメントSが一端開口から取り出すことができず、内袋２が再封された態様となる。
【００３７】
以上のように、上記包装体によれば、複数のサプリメントSが収容される内袋２が、可撓性を有する柔らかいフィルムから形成されているので、携行時等において収容したサプリメントSが内部で移動して内袋２に直接衝突するような態様になっても該サプリメントSに衝撃が生じず、該サプリメントSの破損を防止することができる。また、該内袋２が、外装体１の胴部１０内に収容されているので、該包装体に対して外力が加わっても該外力は、外装体１によって吸収され、内袋２に収容したサプリメントSに直接作用することがなく、外力に対する破損についても防止することができる。
【００３８】
また、一対のシート壁部１０ａ，１０ｂの側端同士が連結されることで、外装体１の胴部１０が形成されているので、通常時に胴部１０が扁平した状態（扁平筒状）をなし、該胴部１０の一端、すなわち、一対のシート壁部１０ａ，１０ｂの一端同士が互いに接近した態様をなすことになり、該一端から延出した内袋２が一対のシート壁部１０ａ，１０ｂによって押圧された態様になる。これにより、胴部１０を変形させるように把持するまでは、内袋２の他端側に収容されたサプリメントSの外部（内袋２の一端側）への移動を規制することができる。
【００３９】
また、内袋２は、開封される一端側が蓋片１１に対して対向するように胴部１０に固定されているので、一端部を開封しても蓋片１１を第一罫線１３ａで折り返すだけで、当該内袋２も折り返された態様となり、内袋２を簡単に再封した態様にすることができる。その上、外装体１は、蓋片１１を折り返した状態で保持する保持手段を備えているので、内袋２を再封した状態で維持させることができる。
【００４０】
また、内袋２を構成する一対の壁フィルム２０ａ，２０ｂのそれぞれが、対向する一対のシート壁部１０ａ，１０ｂに貼着されているので、外装体１の扁平した胴部１０を円錐筒状に変形させることで、内袋２も胴部１０の変形に追従して円錐筒状に変形させて開封した一端を開口させることができ、内袋２に収容したサプリメントSを一端に形成した開口から容易に取り出すことができる。すなわち、胴部１０を変形させるだけで、内袋２の一端が開口するとともに、一方のシート壁部１０ａとともに蓋片１１も湾曲状に変形して樋状になり、これに追従して変形する内袋２も樋状をなすので、包装体を傾けるだけで簡単にサプリメントSを取り出すことができる。
【００４１】
さらに、内袋２が一端側ほど先細りした台形状に形成されているので、一端部が開封されて形成した開口を、該内袋２の他端側の内部空間（領域）よりも狭くすることができるので、内袋２の一端開口から余分なサプリメントSが無造作に出てしまうのを防止することができる。
【００４２】
さらに、外装体１を弾性を有するプラスチックシート（原シートＢ）を折曲加工して形成したので、胴部１０（一対のシート壁部１０ａ，１０ｂ）を湾曲状に変形させやすく、また把持をやめれば元の扁平筒状に戻り、胴部１０の一端開口を閉塞状態に近づけることができ、蓋片１１の折り返しにより再封効果に加え、更に再封性を高めることができる。また、第一罫線１３ａで蓋片１１を折り返すようにしたので、再封時に内袋２に第一罫線１３ａに沿った折り返し稜線が形成され、密封性を高めることができる。
【００４３】
尚、本発明の包装体は、上記第一実施形態に限定されるものではなく、本発明の要旨を逸脱しない範囲内において種々変更を加え得ることは勿論である。
【００４４】
上記実施形態において、外装体１の胴部１０を平面視略台形状に構成し、胴部１０を変形させた際に略円錐筒状になるように構成したが、これに限定されるものではなく、例えば、胴部１０を平面視略方形、或いは矩形状に構成し、該胴部１０を変形させた際に略円筒状になるように構成してもよい。
【００４５】
上記実施形態において、内袋２を平面視略台形状に構成したがこれに限定されるものではなく、平面視略矩形状に構成してもよい。この場合、図５に示す如く、壁フィルム２０ａ，２０ｂの短手方向における非溶着領域Ａが、壁フィルム２０ａ，２０ｂの一端側ほど狭くなるように、短手方向の各端から中央に向けて溶着領域が漸増するように熱シールして内袋２を形成することが好ましい。このようにすれば、内袋２の一端部がノッチ２１を介して開封されて外装体１の胴部１０を略円筒状に変形させた際に形成される内袋２の一端開口を小径にすることができ、余分なサプリメントSが無造作に出てくるのを防止することができる。なお、図５において付されたハッチングは、熱シールされた領域を示している。
【００４６】
上記実施形態において、胴部１０の両端を開口させるように形成したが、これに限定されるものではなく、例えば、他端開口を閉塞した構成であってもよい。
【００４７】
上記実施形態において、蓋片１１を折り返し状態で保持させる保持手段として、胴部１０（他方のシート壁部１０ｂ）にスリット１２を設けるとともに、蓋片１１に突片１４を設けるようにしたが、これに限定されるものではなく、例えば、胴部１０に突片１４を設けるとともに、蓋片１１にスリット１２を設けるようにしてもよい。また、保持手段は、スリット１２とこれに挿入する突片１４とで構成されたものに限定されるものではなく、例えば、粘着及び剥離を複数回繰り返すことのできる粘着テープを、胴部１０又は蓋片１１の何れか一方に設けた構成や、雄雌一対のホックボタン、或いは面ファスナーを胴部１０及び蓋片１１に設けた構成等を採用することもできる。
【００４８】
上記実施形態において、外装体１の胴部１０を一対のシート壁部１０ａ，１０ｂの側端同士を連結して扁平状に形成するようにしたが、これに限定されるものではなく、胴部１０は、常時、断面円形、角形等の筒状に保つように構成されたものであってもよい。
【００４９】
上記実施形態において、内袋２としてスタンディングパウチタイプの袋を採用したが、これに限定されるものではなく、例えば、一対の壁フィルム２０ａ，２０ｂの外周縁部同士を直接熱シールして連結することで構成された袋であっても勿論よい。
【００５０】
上記実施形態において、内袋２を構成する一対の壁フィルム２０ａ，２０ｂのそれぞれを、胴部１０を構成する一対のシート壁部１０ａ，１０ｂのそれぞれに貼着するようにしたが、これに限定されるものではなく、内袋２を構成する一対の壁フィルム２０ａ，２０ｂのうちの一方を、対向するシート壁部１０ａ，１０ｂに固定するようにしてもよい。この場合、蓋片１１の延設された一方のシート壁部１０ａと、これに対向する内袋２の壁フィルム２０ｂとを固定することが好ましい。
【００５１】
上記実施形態において、サプリメントＳを充填した状態の内袋２を外装体１の胴部１０に収容して包装体を完成させるようにしたが、これに限定されるものではなく、例えば、一端部（上端部）のみが熱シールされていない内袋２を、上述の如く、外装体１の胴部１０に収容して各シート壁部１０ａ，１０ｂを壁フィルム２０ａ，２０ｂに貼着した状態にし、その内袋２の一端開口からサプリメントＳを充填した後に内袋２の一端部を熱シールするようにしてもよい。このようにすれば、上述の如く、胴部１０の両側端同士が接近するように胴部１０を変形させることで、内袋２の一端に開口が形成されるとともに、該内袋２が筒状になるので、ボトルに被充填物を充填するような態様で、サプリメントＳを内袋２に容易に充填できるといった効果が得られる。従って、サプリメントＳの取り出し量を規制すべく、開封される一端部の幅を狭くして再封用のファスナー等を設けることのできない内袋２を採用した場合であっても、サプリメントＳの充填を容易に行いことができるとともに、上述の如く、開封後においては容易に再封することもできる。
【００５２】
上記実施形態において、外装体１をプラスチックシートを折曲加工して形成するようにしたが、これに限定されるものではなく、外装体１は、例えば、紙シートを折曲加工して形成するようにしても勿論よい。
【００５３】
次に、本発明の第二実施形態にかかる包装体について説明する。
第二実施形態にかかる包装体は、図６に示す如く、第一実施形態にかかる包装体と同様に、外装体５と、該外装体５に内装され、複数のサプリメントＳを収容する内袋６とで構成されている。
【００５４】
該外装体５は、内袋６を収容する筒状の胴部５０と、該胴部５０の一端開口縁部に延設され、該一端開口に向けて折り返される蓋片５１とで構成されている。
【００５５】
前記胴部５０は、平面視略矩形状の一対のシート壁部５０ａ，５０ｂの側端同士が連結されて形成されており、扁平筒状をなしている。
【００５６】
前記蓋片５１は、平面視矩形状に形成されており、一端が一方のシート壁部５０ａの一端（上端）に接続されている。該蓋片５１には、一端乃至他端の中間部に側端間を横断した折曲罫線５２（以下、この折曲罫線を便宜上、第四罫線という）が設けられており、該第四罫線５２を折り返し位置にして蓋片５１を胴部５０の一端開口側に折り返すことができるようになっている。第四罫線５２は、蓋片５１を折り返した状態で、当該蓋片５１の他端部（先端部）が胴部５０の一端部に重なり合うことができる位置に設けられている。
【００５７】
上記構成の外装体５は、第一実施形態にかかる外装体５と同様に、所定形状に裁断された一枚のプラスチックシート（原シート）を折り曲げ加工して形成されている。なお、該原シートは、第一実施形態と同様に、一対の壁形成領域、蓋形成領域、及び貼着領域を備え、材質も同一であり、相違する点としては、一対の壁形成領域、及び蓋形成領域が、矩形状に形成された点、一方の壁形成領域にスリットが設けられていない点、及び蓋形成領域に突片が形成されていない点であるので、詳細な説明については割愛する。
【００５８】
前記内袋６は、第一実施形態と同様のフィルムを平面視矩形の袋状に形成したものである。具体的には、本実施形態にかかる内袋６は、平面視略矩形状に形状設定された一対の壁フィルム６０ａ，６０ｂで構成されており、該一対の壁フィルム６０ａ，６０ｂの周縁部同士を直接熱シールして連結することで形成されている。該内袋６は、長手方向の一端部が開封可能に構成されている。すなわち、該内袋６は、長手方向の一端部であって、短手方向の一端部に切り込みで構成されたノッチ６１が設けられており、該ノッチ６１を介して短手方向に切り裂いて開封できるようになっている。
【００５９】
上記構成の内袋６は、長手方向の他端側が胴部５０内に収容された状態で、一端側が胴部５０の一端開口から延出し、開封可能な一端部が第四罫線５２と蓋片５１の先端部との間に介在するように長手方向の長さが設定されている。該内袋６は、他端側が胴部５０内に収容された状態で、一方の壁フィルム６０ａが蓋片５１の第四罫線５２よりも先端側の部分に両面粘着テープや接着剤（例えば、ホットメルト接着剤）等の貼着手段６２を介して固定されている。
【００６０】
以上構成の包装体は、図７（イ）に示す如く、蓋片５１を起こした状態にして、内袋６の一端部をノッチ６１を介して短手方向に引き裂くことで、図７（ロ）に示す如く開封される。そして、図７（ハ）に示す如く、第一実施形態と同様に、胴部５０（一対のシート壁部５０ａ，５０ｂ）の側端同士が接近するように外装体５を把持すると、扁平状態にある胴部５０が略円筒状に変形するとともに、起こされた蓋片５１が、前記一方のシート壁部５０ａの変形に伴って湾曲し、一方のシート壁部５０ａとともに樋状をなす。
【００６１】
そうすると、胴部５０の一端開口が略円形、或いは楕円形になり、内袋６の一端側が下方に位置するように包装体を傾けることで、樋状をなす胴部５０及び蓋片５１に沿うように、内袋６内のサプリメントＳが一端開口に向けて転動することになる。なお、本実施形態にかかる包装体は、内袋６を構成する一方の壁フィルム６０ａのみが蓋片５１に固定されているだけであるので、外装体５の胴部５０を扁平状態から略円筒状にしても、内袋６がこれに伴って円筒状に変形しない場合がある。このように内袋６内で一端側に転動するサプリメントＳが円滑に一端開口まで到達しない場合には、他方の壁フィルム６０ｂ（蓋片５１と対向していない側の壁フィルム）を介してサプリメントＳを一端開口に向けて押しやることで、内袋６の一端開口からサプリメントＳを取り出すことができる。
【００６２】
その一方で、開封した内袋６を再封するには、図７（ニ）に示す如く、包装体を起立状態にし、該内袋６における一端と、サプリメントＳが内袋６内で蓋片５１の第四罫線５２と対向する位置との間に介在しない状態にし、蓋片５１を胴部５０の一端開口側に第四罫線５２で折り返す。そうすると、蓋片５１の折り返しに伴って内袋６が第四罫線５２に対向した部分で、胴部５０を構成する他方のシート壁部５０ｂに向けて折り返されることになる。
【００６３】
そして、蓋片５１の先端部を胴部５０内に差し込むことで、蓋片５１の折り返し状態が保持され、これにより内袋６の一端側の折り返しも保持されることになり、該折り返しにより、収容したサプリメントＳが一端開口から取り出すことができず、内袋６が再封された態様となる。つまり、該包装体は、蓋片５１及び胴部５０によって、蓋片５１を折り返し状態で保持する保持手段を構成するようになっている。
【００６４】
以上構成の包装体によれば、第一実施形態と同様に、複数のサプリメントＳが収容される内袋６（壁フィルム６０ａ，６０ｂ）が、可撓性を有する柔らかいフィルムから形成されているので、収容したサプリメントＳが内部で移動して内袋６に直接衝突するような態様になっても該サプリメントＳに衝撃が生じず、該サプリメントＳの破損を防止することができる。また、該内袋６が、外装体５の胴部５０内に収容されているので、該包装体に対して外力が加わっても該外力は、外装体５によって吸収され、内袋６に収容したサプリメントＳに直接作用することがなく、外力に対する破損についても防止することができる。
【００６５】
また、内袋６は、開封される一端側が蓋片５１に対して対向し、該対向する蓋片５１に対して第四罫線５２よりも先端側で固定されているので、一端部を開封しても蓋片５１を第四罫線５２で折り返すだけで、当該内袋６も折り返された態様となり、内袋６を簡単に再封した態様にすることができる。また、蓋片５１を第四罫線５２で折り返した状態で、該蓋片５１の先端部が胴部５０の一端開口部に挿入できるようにすることで、必須構成である蓋片５１と胴部５０とで保持手段を構成するようにしたので、包装体を簡易な構成にすることができる。
【００６６】
さらに、第一実施形態と同様に、外装体５を弾性を有するプラスチックシート（原シートＢ）を折曲加工して形成したので、胴部５０（一対のシート壁部５０ａ，５０ｂ）を湾曲状に変形させやすい。また、蓋片５１に設けた第四罫線５２で当該蓋片５１を折り返すようにしたので、再封時に内袋６に第四罫線５２に沿った折り返し稜線が形成され、密封性を高めることができる。
【００６７】
尚、本発明の包装体は、上記第二実施形態に限定されるものではなく、本発明の要旨を逸脱しない範囲内において種々変更を加え得ることは勿論である。
【００６８】
上記実施形態において、蓋片５１を第四罫線５２で折り返し、該蓋片５１の先端部を胴部５０内に差し込むことで、蓋片５１を折り返し状態で保持するように、蓋片５１及び胴部５０で保持手段を構成したが、これに限定されるものではなく、第一実施形態と同様に、蓋片５１又は胴部５０の何れか一方に、スリットを設け、他方にこのスリットに挿入する突片を設けても勿論よい。また、上述の如く、保持手段として雄雌一対のホックボタンや面ファスナー等を採用してもよい。
【００６９】
上記実施形態において、内袋６の一方の壁フィルム６０ａを蓋片５１における第四罫線５２よりも先端側の部分に蓋片５１に固定するようにしたが、これに限定されるものではなく、例えば、第一実施形態と同様に、内袋６を胴部５０に固定するようにしてもよい。このようにしても、内袋６の一端側は、蓋片５１に対向しているので、蓋片５１を第四罫線５２を折り返すことで、蓋片５１の姿勢に即して内袋６も折り返し状態にして再封することができる。
【００７０】
上記実施形態において、外装体５をプラスチックシートを折曲加工して形成するようにしたが、これに限定されるものではなく、外装体５は、例えば、紙シートを折曲加工して形成するようにしても勿論よい。
【図面の簡単な説明】
【００７１】
【図１】本発明の第一実施形態にかかる包装体の全体斜視図を示す。
【図２】第一実施形態にかかる外装体の展開図（原シートの平面図）を示す。
【図３】第一実施形態にかかる内袋の平面図を示す。
【図４】第一実施形態にかかる包装体を開封してサプリメント（被収容物）を取り出し、該包装体を再封する際の工程図を示す。
【図５】他実施形態にかかる内袋であって、開封可能な一端部の熱シールについての説明図であって、内袋の部分平面図を示す。
【図６】本発明の第二実施形態にかかる包装体の全体斜視図を示す。
【図７】第二実施形態にかかる包装体を開封してサプリメントを取り出し、該包装体を再封する際の工程図を示す。
【符号の説明】
【００７２】
１，５…外装体、２，６…内袋、１０，５０…胴部、１０ａ，１０ｂ，５０ａ，５０ｂ…シート壁部、１１，５１…蓋片、１２…スリット、１３ａ…第一罫線（折曲罫線：折り返し位置）、１３ｂ…第二罫線（折曲罫線）、１３ｃ…第三罫線（折曲罫線）、５２…第四罫線（折曲罫線）、１４…突片、１５ａ，１５ｂ…壁形成領域、１５ｃ…貼着領域、１５ｄ…蓋形成領域、１６，６２…貼着手段、２０ａ，２０ｂ，６０ａ，６０ｂ…壁フィルム、２０ｃ…底フィルム、２１，６１…ノッチ、Ｂ…原シート（プラスチックシート）、S…サプリメント（被収容物）、Ａ…非溶着領域
【図１】
2005041556.tif 000003
【図２】
2005041556.tif 000004
【図３】
2005041556.tif 000005
【図４】
2005041556.tif 000006
【図５】
2005041556.tif 000007
【図６】
2005041556.tif 000008
【図７】
2005041556.tif 000009